(57)【要約】【課題】個別の機能毎ではなく利用する機能数によりメンテナンス契約を行うことでユーザーに対して機能を限定することなく、かつユーザーにとってメンテナンス費用的に効率的な契約を選択することを可能とすること。【解決手段】少なくとも一つ以上の機能を備える画像処理装置であって、機能毎に課金を行うためのライセンス管理を行う手段を備え、前記ライセンス管理を行う手段はユーザーが利用可能な機能数を管理する手段を備え、前記機能数を管理する手段は利用している機能の種類と、利用頻度情報を保持する構成とする。【選択図】        図１
2006129163.tif 000002
【特許請求の範囲】
【請求項１】
少なくとも一つ以上の機能を備える画像処理装置であって、機能毎に課金を行うためのライセンス管理を行う手段を備え、前記ライセンス管理を行う手段はユーザーが利用可能な機能数を管理する手段を備え、前記機能数を管理する手段は利用している機能の種類と、利用頻度情報を保持することを特徴とする画像処理装置。
【請求項２】
前記機能数を管理する手段に新たな機能を追加する際に課金を行うことを特徴とする請求項１記載の画像処理装置。
【請求項３】
前記機能数を管理する手段の利用頻度情報を更新する度に課金を行うことを特徴とする請求項１記載の画像処理装置。
【請求項４】
ユーザーが機能数を越えた機能を利用する場合には前記機能数を管理する手段を参照し、利用頻度の一番低いものを利用可能な機能リストから削除し、新たな機能の利用頻度情報を管理することを特徴とする請求項１記載の画像処理装置。
【発明の詳細な説明】
【技術分野】
【０００１】
本発明は画像処理システム、画像処理装置、画像処理方法及び記憶媒体に関し、特にユーザーが画像処理装置の機能を利用する場合のライセンス管理及び課金に関するものである。
【背景技術】
【０００２】
従来、複合機能複写機においてはユーザーが複写やコンピュータから転送したプリントデータの印刷に関し、印刷出力毎に課金を行ってきた。また機器の定期メンテナンスを行うためにユーザーはメンテナンス契約を販売店と締結し、メンテナンス費用を定期的に支払っている。メンテナンス費用は機器が備える機能に応じて決定されている。
【０００３】
また、使用頻度の低い各アプリケーションソフトを特定して、該使用頻度の低いアプリケーションソフトを消去する機器があった（例えば、特許文献１参照）。
【特許文献１】特開２００１−０９２７７９号公報
【発明の開示】
【発明が解決しようとする課題】
【０００４】
しかしながら上記従来例においては次のような課題があった。
【０００５】
機器の高性能化に従い、デジタル複合機に装備される機能は従来の様な単純な印刷出力等の物理的な出力に限定されるものではなく、スキャンによる情報の加工や、セキュリティに対応した印刷データの保存等、原稿処理に関連する機能も多くなってきている。機能の増加に従えばメンテナンス費用は高騰することになるが、ユーザーはすべての機能を利用するわけではないためこれではユーザーの不利益となってしまう。
【０００６】
ユーザーに対して使用する機能を個別に選択させて必要な機能分のメンテナンス費用を計上することも可能であるが、これではメンテナンス契約が煩雑になってしまう。またユーザーはメンテナンス契約を結んだ機能以外は利用できないため、利用頻度が低い機能に関してもあらかじめ契約を結ぶ必要があり、こちらもユーザーの不利益となってしまう。
【０００７】
本発明は、上記の課題を解決するためになされたもので、個別の機能毎ではなく利用する機能数によりメンテナンス契約を行うことでユーザーに対して機能を限定することなく、かつユーザーにとってメンテナンス費用的に効率的な契約を選択することを可能とすることを目的とする。
【課題を解決するための手段】
【０００８】
本発明は、前記の課題を解決することを目的としたもので、前記の課題を解決する手段として以下の構成を備える。
【０００９】
（１）少なくとも一つ以上の機能を備える画像処理装置であって、機能毎に課金を行うためのライセンス管理を行う手段を備え、前記ライセンス管理を行う手段はユーザーが利用可能な機能数を管理する手段を備え、前記機能数を管理する手段は利用している機能の種類と、利用頻度情報を保持することを特徴とする画像処理装置。
【００１０】
（２）前記機能数を管理する手段に新たな機能を追加する際に課金を行うことを特徴とする前記（１）記載の画像処理装置。
【００１１】
（３）前記機能数を管理する手段の利用頻度情報を更新する度に課金を行うことを特徴とする前記（１）記載の画像処理装置。
【００１２】
（４）ユーザーが機能数を越えた機能を利用する場合には前記機能数を管理する手段を参照し、利用頻度の一番低いものを利用可能な機能リストから削除し、新たな機能の利用頻度情報を管理することを特徴とする前記（１）記載の画像処理装置。
【発明の効果】
【００１３】
本発明によれば、デジタル複合機のユーザーは、個別の機能毎ではなく利用する機能数によりメンテナンス契約を行うことで利用可能な機能を限定することなく、かつユーザーにとってメンテナンス費用的に効率的な契約を選択することが可能になるという効果がある。
【発明を実施するための最良の形態】
【００１４】
以下、本発明にかかる一実施例の画像処理装置を図面を参照して説明する。
【実施例】
【００１５】
図１は本発明のデジタル複合機の構成図である。
【００１６】
同図において１００はコントローラユニット、２００はＬＡＮ、３００は操作部、４００はプリンタエンジン、５００はスキャナである。
【００１７】
１００のコントローラユニットは画像出力装置であるプリンタエンジン４００、画像入力装置であるスキャナ５００、オペレータが操作を行うための操作部３００を接続制御し、原稿の複写処理を行ったり、２００のＬＡＮ経由にて接続されたホストコンピュータからのプリントデータの印刷処理を行うものである。また５００のスキャナから読み取ったスキャンデータを２００のＬＡＮ経由にて接続されたホストコンピュータへと送る処理も行うものである。
【００１８】
同図に示した通り１００のプリンタは以下のブロックから構成され、内部メインバス１０１で接続される。
【００１９】
１０２はメモリとＣＰＵにて構成され全体を制御する制御部である。
【００２０】
１０３はＬＡＮインターフェースコントローラであり、イーサネット(登録商標)等のコンピュータネットワーク通信機能を備えるものである。コンピュータネットワークを介して接続されたホストコンピュータからプリントジョブを転送したり、スキャナから読み取ったスキャンデータをホストコンピュータに転送したりするものである。
【００２１】
インターフェース方式はコンピュータと接続される方式であれば特に限定するものではない。
【００２２】
１０４は操作部インターフェースであり操作部３００を接続し、オペレータの指示を入力したり、機器の状態を操作部に表示出力制御するものである。
【００２３】
１０５のプリンタインターフェースはプリンタエンジン４００を接続するもので後述のプリンタ画像処理部１０７にて生成された画像データを印刷出力するものである。
【００２４】
１０６のスキャナインターフェースはスキャナ５００を接続するものでスキャナから入力したスキャン画像データを後述のスキャナ画像処理部１０８へ転送するものである。
【００２５】
１０７のプリンタ画像処理部はプリント出力画像データに対しプリンタエンジンに合わせた補正、加工、編集を行うものである。
【００２６】
１０８のスキャナ画像処理部は入力画像データに対し補正、加工、編集を行うものである。
【００２７】
１０９のＰＤＬ処理部はホストコンピュータから転送されたプリントデータであるＰＤＬ（ページ記述言語）の解析、ビットマップへの展開を行い画像データを生成するものである。単一のＰＤＬを処理するものであっても複数のＰＤＬを処理可能な構成であっても構わない。
【００２８】
１１０の機能課金管理部はデジタル複合機が備える全機能の利用状況を管理し、課金情報を保持する機能課金管理リストで構成する。
【００２９】
機能課金管理リストには機器の機能の利用状況が保持され、定期メンテナンス時にメンテナンス作業者がデータをチェックし機器利用者の利用状況により課金情報にしたがった請求を行う。また課金に関してはＬＡＮ２００経由にて遠隔地からのリモートメンテナンスにてチェックする構成であっても構わない。
【００３０】
機能課金管理部は後述する機能課金管理リストで構成する。
【００３１】
１１１のライセンス管理部は本発明の特徴的な部分であり、ユーザーが利用している機能の機能数と利用状況との対応を管理するためのものである。
【００３２】
具体的にはユーザーが締結したメンテナンス契約に従った機能数に応じた利用状況を管理するライセンス管理リストで構成する。
【００３３】
ライセンス管理リストに関しては別途説明する。
【００３４】
図２は操作部を示す図である。同図は操作部３００の外観を示す。
【００３５】
液晶操作パネル３０１は液晶にタッチパネルを組み合わせたものであり、設定内容の表示、ソフトキーの表示等がなされるものである。
【００３６】
ハードキー群３０２には、テンキー、クリアキー、リセットキー、ガイドキー、ユーザモードキーが設けられている。
【００３７】
スタートキー３０３はコピー動作等を開始指示するためのハードキーであり、内部に緑色および赤色のＬＥＤが組み込まれており、スタート可能のときに緑色、スタート不可のときに赤色のＬＥＤが点灯する。ストップキー３０４は動作を停止させるときに使用するハードキーである。
【００３８】
図３は液晶操作パネルの表示例を示す図である。同図は、液晶操作パネル３０１に通常のコピー画面が表示されている様子を示している。
【００３９】
設定表示部３１１には、デジタル複合機の現在の動作状況、設定されている倍率、用紙、部数を表示する部分である。倍率ソフトキー群３１２には、複写時の倍率に関するソフトキーである等倍、拡大、縮小、ズームキーが設けられる。ソータキー３１３は、出力用紙の処理方法を指定するときに使用する。両面キー３１４は、原稿または出力方法に、両面印刷が係る場合に使用する。用紙選択キー３１５は、出力用紙のサイズ、色、マテリアル等を指定するための画面に遷移するときに使用する。濃度指定キー群３１６は、読み取りまたは出力画像の濃度を調整し、設定内容を表示する部分である。
【００４０】
図４はプリンタエンジンの構成を示す図である。同図は画像出力部であるプリンタエンジンの構成を示している。
【００４１】
画像出力デバイスであるプリンタエンジン部４００はラスターイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は制御部１０２からの指示によって開始する。プリンタエンジン部４００は、異なる用紙サイズまたは異なる用紙向きを選択できるように複数の給紙段を持ち、それに対応した用紙カセット４０１、４０２、４０３、４０４が装着される。また、排紙トレイ４０５は印字し終わった用紙を受けるものである。
【００４２】
図５はスキャナの構成を示す図である。同図は画像入力部であるスキャナの構成を示している。
【００４３】
画像入力デバイスであるスキャナ部５００は、原稿となる紙上の画像を照明し、図示しないＣＣＤラインセンサを走査することで、ラスターイメージデータとして電気信号に変換する。原稿用紙は原稿フィーダ５０１のトレイ５０２にセットし、ユーザーが操作部３００から読み取り起動指示することにより、制御部１０２がスキャナ５００に指示を与え、フィーダ５０１は原稿用紙を一枚ずつフィードし原稿画像の読み取り動作を行う。
【００４４】
オペレータは原稿フィーダを使用せずに直接原稿台に原稿を置くことで単一用紙原稿の原稿画像の読み取り動作を行うことも可能である。
【００４５】
図６は機能課金管理リストの構成を示す図である。機能課金管理リストは機能課金管理部１１０に保持するものであり、デジタル複合機が備える全機能の利用状況を管理し、課金情報を保持するものである。
【００４６】
リストの操作に関してはフローチャートに対応させて後述する。
【００４７】
同図は機能課金管理リストの一例を示す。
【００４８】
機能番号、機能名称、ロード回数、使用回数で構成される。
【００４９】
機能番号は、機能名称と１対１に割り当てたものであり、番号によりデジタル複合機の機能を区別するものである。
【００５０】
機能名称は、機能名称をテキストデータで示したものである。
【００５１】
ロード回数は、使用する機能を後述のライセンス管理リストに追加した回数を示す。
【００５２】
初めて機能を使用するときにライセンス管理リストに対応する機能を追加する。これは基本料金に相当し、対応する機能がライセンス管理リストに存在する間はロード回数は更新しない。
【００５３】
使用回数は、機能を利用した回数を示す。
【００５４】
同図ではロード回数、使用回数がすべて０を保持しており、機能が未使用であることを示している。
【００５５】
デジタル複合機の機能を使用すると対応するロード回数、使用回数を状況に応じてインクリメントする。
【００５６】
同リストには機器の機能の利用状況が保持され、定期メンテナンス時にメンテナンス作業者がデータをチェックし機器利用者の利用状況により課金情報にしたがった請求を行う。また課金に関してはＬＡＮ２００経由にて遠隔地からのリモートメンテナンスにてチェックする構成であっても構わない。
【００５７】
定期メンテナンス後はメンテナンス作業者により本リストのロード回数、使用回数は０に戻される。
【００５８】
図７はライセンス管理リストの構成を示す図である。
【００５９】
ライセンス管理リストはライセンス管理部１１１に保持するものであり、ユーザーが利用している機能の機能数と利用状況との対応を管理するためのものである。
【００６０】
具体的にはユーザーが締結したメンテナンス契約に従った機能数に応じた利用状況を管理するライセンス管理リストで構成する。
【００６１】
リストの操作に関してはフローチャートに対応させて後述する。
【００６２】
同図はライセンス管理リストの一例を示すものである。
【００６３】
同リストは最大８つの機能を使用可能としたメンテナンス契約に対応しており、ユーザーの機能利用状況に応じたライセンス管理リストの変遷を示している。
【００６４】
リストは利用順位、機能番号、機能名称、使用回数で構成される。
【００６５】
利用順位は、リスト中の利用回数の順位を管理するための番号である。
【００６６】
機能番号は、前述の機能課金管理リストの機能番号に相当する情報が格納される。
【００６７】
機能番号が０は対応する利用順位には機能がロードされておらず空きを示すものである。
【００６８】
機能名称は、前述の機能課金管理リストの機能名称に相当する情報が格納される。
【００６９】
空文字列は対応する利用順位には機能がロードされておらず空きを示すものである。
【００７０】
使用回数は、機能を利用した回数を示す。
【００７１】
使用回数が０は対応する利用順位には機能がロードされておらず空きを示すものである。
【００７２】
同図は（ａ）初期状態、（ｂ）リストに空きがある状態、（ｃ）リストフル状態の３つの状態をそれぞれ示している。
【００７３】
（ａ）初期状態は、機器が初めてユーザー先に設置された状態を示す。
【００７４】
リスト中の機能番号はすべて０、機能名称はすべて空文字列、使用回数はすべて０に初期化されている。
【００７５】
すなわち機能は全く未使用であることを示している。
【００７６】
（ｂ）リストに空きがある状態は、３つの機能を利用していることを示している。利用順位４以下８までは空きを示しており残り５つの機能を追加して利用できることを示している。
【００７７】
（ｃ）リストフル状態は、機能リストがすべてフルになっており８つの機能を利用していることを示している。
【００７８】
本発明の特徴的な部分はこの状態の後９つめの機能を利用する際には利用順位８の“コピーステープル”の機能をリストから削除し、新たな機能の利用状況をリストに追加することでメンテナンス契約数を越えた機能に関しても利用を可能にすることである。たとえばユーザーは再度“コピーステープル”の機能を利用する際には再度リストの利用順位の最下位に利用状況を追加することで機能を利用することが可能となる。
【００７９】
なおリストに利用状況を追加する際には前述の機能課金管理リストのロード回数をインクリメントするためリストが備える機能数を越えた機能に関してはロード回数に応じた基本料金が別途課金される。ユーザーは恒久的に多くの機能を利用する場合には機能数を増やすメンテナンス契約変更を行うことでロード回数を減らすことが可能である。また多くの機能を利用するのが一時的な場合にはメンテナンス契約はそのままにしておくことも可能である。
【００８０】
本構成によりユーザーに対して機能を限定することなく、かつユーザーにとってメンテナンス費用的に効率的な契約を選択することを可能とする本発明の目的を達成することができる。
【００８１】
図８はライセンス管理処理を示すフローチャートである。
【００８２】
本処理は制御部１０２にて行なわれるものである。
【００８３】
図６、図７に示した機能課金管理リスト及びライセンス管理リストの操作処理の流れを示す。
【００８４】
ステップＳ１０００において、オペレータの操作部による指示又はＬＡＮ経由にて転送されたプリントジョブに対応したデジタル複合機の機能をリクエストしステップＳ１００１に進む。
【００８５】
ここでリクエストされるデジタル複合機の機能は図６で示した機能課金管理リストに示されるものである。例えば“ＰＤＬ−Ａプリント−カラー”という機能を使用する場合には機能番号１がリクエストされる。
【００８６】
ステップＳ１００１において、図７に示したライセンス管理リストを参照しステップＳ１００２に進む。
【００８７】
ステップＳ１００２において、ステップＳ１０００でリクエストされた機能番号がステップＳ１００１で参照したライセンス管理リストの機能番号に存在するならば機能はロード済であるためステップＳ１００７に進み、一方機能番号が存在しなければライセンス管理リストに機能はロードされていないためステップＳ１００３に進む。
【００８８】
ステップＳ１００３において、ライセンス管理リストの機能番号に０が存在するならばリストに空きがあるのでステップＳ１００５に進み、機能番号がすべて０以外であればリストに空きは無いのでステップＳ１００４に進む。
【００８９】
ステップＳ１００４において、ライセンス管理リストには空きが無いのでリストの最下位情報を削除し、ステップＳ１００５に進む。
【００９０】
ここで最下位情報の削除とはリストの利用順位の最下位の機能番号を０、機能名称を空文字列、使用回数を０にする処理を意味する。
【００９１】
ステップＳ１００５において、ライセンス管理リストのリスト中の最上位の空き部分にステップＳ１０００でリクエストされた機能の情報を追加しステップＳ１００６に進む。
【００９２】
具体的にはリスト中の機能番号が０の最上位部分にリクエストされた機能番号、機能名称をライトする。使用回数は０とする。
【００９３】
ステップＳ１００６において、ステップＳ１０００でリクエストされた機能番号に対応した機能課金管理リストのロード回数をインクリメントしステップＳ１００７に進む。
【００９４】
本ステップの処理にて図６の説明における機能課金管理リストのロード回数のインクリメント操作が行われる。
【００９５】
ステップＳ１００７において、ステップＳ１０００にてリクエストされた機能番号に対応する機能課金管理リストの使用回数をインクリメントしステップＳ１００８に進む。
【００９６】
本ステップの処理にて図６の説明における機能課金管理リストの使用回数のインクリメント操作が行われる。
【００９７】
ステップＳ１００８において、ステップＳ１０００にてリクエストされた機能番号に対応するライセンス管理リストの使用回数値をインクリメントしステップＳ１００９に進む。
【００９８】
ステップＳ１００９において、ステップＳ１００８にてライセンス管理リスト上でインクリメントされた機能番号に対応する使用回数と、ライセンス管理リストの一つ上位に保持される機能番号の使用回数とを比較し、ステップＳ１０１０に進む。
【００９９】
ステップＳ１０１０にて、ステップＳ１００９にて比較した結果においてステップＳ１００８にてインクリメントした使用回数が、ライセンス管理リスト上の一つ上位に保持される機能番号の使用回数以上の場合はステップＳ１０１１に進み、一つ上位に保持される機能番号の使用回数以上でなければ処理を終了する。
【０１００】
ステップＳ１０１１にて、ライセンス管理リスト上のステップＳ１００９にて比較を行った二つの情報の順位を入れ替え処理を終了する。
【０１０１】
ステップＳ１００３からステップＳ１００６までの処理を解説する。
【０１０２】
本処理はライセンス管理リストにロードされていない機能を利用するためにリストにリクエストされた機能の利用情報を追加するためのものである。
【０１０３】
リストに空きがある場合にはリストの最上位空き部分に情報を追加する。リストに空きが無い場合にはリストの最下位情報を削除し、その上で空けたリスト部分に情報を追加する。いずれの場合にも機能課金管理リストのロード回数はインクリメントし、機能が使用可能なようにロードしたことを示すようにする。
【０１０４】
ステップＳ１００８からステップＳ１０１１までの処理を解説する。
【０１０５】
本処理はライセンス管理リストの利用順位の整合をとるための処理である。ステップＳ１００８にて使用回数をインクリメントした結果、リスト上ひとつ上位の機能番号の使用回数以上になった場合には利用順位を入れ替える。これにより利用回数が多い機能番号の情報はリストの上位に保持することが可能となる。
【０１０６】
以上説明した通り、本処理によってライセンス管理リストと機能課金管理リストの情報をライセンスリクエストに応じて操作することが可能となる。
【０１０７】
図９はライセンス管理リストの更新例を示す図である。
【０１０８】
同図は図８にて説明したフローの処理前後の（ａ）リスト更新前と（ｂ）リスト更新後の状態を示すものである。
【０１０９】
（ａ）リスト更新前における利用順位最下位の機能番号１２“コピーステープル”は情報を削除され、（ｂ）リスト更新後では新たにリクエストされた機能番号１５“モノクロスキャン”の情報が追加されている。使用回数はステップＳ１００５において０に設定された後ステップＳ１００８にてインクリメントされ１を保持する。
【０１１０】
（第二実施例）
第一の実施例においては新たな機能情報をライセンス管理リストに追加する場合には必ずリストの使用回数の最下位に追加される構成をとっていたが、機能課金管理リストの使用回数にしたがってライセンス管理リストの適切な利用順位部分に情報の追加を行う構成も考えられる。以下に実施の形態を説明する。
【０１１１】
図１０は第二実施例のライセンス管理処理を示すフローチャートである。
【０１１２】
第二実施例と第一実施例ではステップＳ１１０３からステップＳ１１０６までの処理が異なる（第一実施例ではステップＳ１００３からステップＳ１００６に相当する）。
【０１１３】
本処理はライセンス管理リストにロードされていない機能を利用するためにリストにリクエストされた機能の利用情報を追加するためのものである。
【０１１４】
リストに情報を追加する場合、まずリクエストされた機能課金管理リストの機能番号に対応する使用回数を参照し、次にライセンス管理リストの使用回数以下の部分にリクエストされた機能番号の情報を追加する処理を行う。ライセンス管理リストの機能数を越えて機能を使用した場合、一度リストから削除される機能番号の情報が存在する。
【０１１５】
第一実施例の場合には当該機能番号の機能が再度リクエストされライセンス管理リストに追加される場合、ライセンス管理リスト上の使用回数は０から再スタートとなる。
【０１１６】
一方第二実施例においては以前使用していた際の使用回数が再度有効となる。これにより一度はリストから削除されたが比較的使用回数の多い機能はリストの上位に復帰させることができる。
【０１１７】
ステップＳ１１０３において、ライセンス管理リストの機能番号に０が存在するならばリストに空きがあるのでステップＳ１１０５に進み、機能番号がすべて０以外であればリストに空きは無いのでステップＳ１１０４に進む。
【０１１８】
ステップＳ１１０４において、ライセンス管理リストには空きが無いのでリストの最下位情報を削除し、ステップＳ１１０５に進む。
【０１１９】
ここで最下位情報の削除とはリストの利用順位の最下位の機能番号を０、機能名称を空文字列、使用回数を０にする処理を意味する。
【０１２０】
ステップＳ１１０５において、ステップＳ１０００でリクエストされた機能番号に対応する機能課金管理リストの使用回数を参照し、ライセンス管理リストの使用回数以下の部分に情報を追加しステップＳ１１０６に進む。
【０１２１】
具体的にはライセンスリスト中の対応する利用順位部分以下の情報を一つ下位に移動させ、空けたリスト部分にリクエストされた機能番号、機能名称をライトする。使用回数は機能課金管理リストの値をセットする。
【０１２２】
ステップＳ１１０６において、ステップＳ１０００でリクエストされた機能番号に対応した機能課金管理リストのロード回数をインクリメントしステップＳ１００７に進む。
【０１２３】
本ステップの処理にて図６の説明における機能課金管理リストのロード回数のインクリメント操作が行われる。
【０１２４】
図１１は第二実施例のライセンス管理リストの更新例を示す図である。
【０１２５】
同図は図１０にて説明したフローの処理前後の（ａ）リスト更新前と（ｂ）リスト更新後の状態を示すものである。
【０１２６】
なお新たにリクエストされる機能は機能番号１５“モノクロスキャン”で、機能課金管理リストにおいて使用回数は６０が保持されていることを前提とする。
（ａ）リスト更新前における利用順位最下位の機能番号１２“コピーステープル”は情報を削除され、（ｂ）リスト更新後では新たにリクエストされた機能番号１５“モノクロスキャン”の情報が利用順位７の部分に追加され、機能番号１０“コピー両面”の情報は利用順位８の部分に入れ替えられている。本処理はステップＳ１１０５において行われ、機能番号１５“モノクロスキャン”の使用回数が６０に設定される。
【０１２７】
その後ステップＳ１００８にて使用回数はインクリメントされ６１を保持する。
【図面の簡単な説明】
【０１２８】
【図１】本発明のデジタル複合機の構成図
【図２】操作部を示す図
【図３】液晶操作パネルの表示例を示す図
【図４】プリンタエンジンの構成を示す図
【図５】スキャナの構成を示す図
【図６】機能課金管理リストの構成を示す図
【図７】ライセンス管理リストの構成を示す図
【図８】ライセンス管理処理を示すフローチャート
【図９】ライセンス管理リストの更新例を示す図
【図１０】第二実施例のライセンス管理処理を示すフローチャート
【図１１】第二実施例のライセンス管理リストの更新例を示す図
【符号の説明】
【０１２９】
１００  コントローラユニット
２００  ＬＡＮ
３００  操作部
４００  プリンタエンジン
５００  スキャナ
１０１  内部メインバス
１０２  制御部
１０３  ＬＡＮインターフェースコントローラ
１０４  操作部インターフェース
１０５  プリンタインターフェース
１０６  スキャナインターフェース
１０７  プリンタ画像処理部
１０８  スキャナ画像処理部
１０９  ＰＤＬ処理部
１１０  機能課金管理部
１１１  ライセンス管理部
【図１】
2006129163.tif 000003
【図２】
2006129163.tif 000004
【図３】
2006129163.tif 000005
【図４】
2006129163.tif 000006
【図５】
2006129163.tif 000007
【図６】
2006129163.tif 000008
【図７】
2006129163.tif 000009
【図８】
2006129163.tif 000010
【図１０】
2006129163.tif 000011
【図９】
2006129163.tif 000012
【図１１】
2006129163.tif 000013